(57)【要約】【課題】サイホン便器とそうでない便器とで共通に使用でき、しかも補給水ホースからの補給水の給水を行わない場合においても特別に余分の部品を必要とせずに補給水ホースの先端部を保持しておくことのできる補給水ホースを備えた洗浄タンク装置を提供する。【解決手段】洗浄タンク１０内部に配設したボールタップ２２からオーバーフロー管５０内に補給水を給水するための補給水ホース５２を延び出させて成る洗浄タンク装置１１において、洗浄タンク１０のタンク壁に、補給水ホース５２の先端部を差し込んで保持しておくための差込口５６を一体に形成しておく。【選択図】        図３
2006283355.tif 000002
【特許請求の範囲】
【請求項１】
洗浄タンク内部に配設したボールタップから該洗浄タンク内部のオーバーフロー管内に補給水を給水するための補給水ホースを延び出させて成る洗浄タンク装置において、
前記洗浄タンクのタンク壁に、前記補給水ホースの先端部を差し込んで保持するための差込口を一体に形成するとともに、該差込口には、該補給水ホースからの給水をタンク内部に流出させる流出口を設けてあることを特徴とする洗浄タンク装置。
【請求項２】
請求項１において、前記差込口は上端に開口を有する筒体を成していて、筒周壁に沿って前記流出口としての縦の切欠が設けてあることを特徴とする洗浄タンク装置。
【請求項３】
請求項２において、前記切欠は該切欠から流出した水が前記洗浄タンク内部のフロート弁，ボールタップ及び浮玉の何れにもかからない向きに設けてあることを特徴とする洗浄タンク装置。
【請求項４】
請求項２，３の何れかにおいて、前記筒体の底面はタンク内に向かって斜め下向きに延びる傾斜ないし湾曲面となしてあることを特徴とする洗浄タンク装置。
【発明の詳細な説明】
【技術分野】
【０００１】
この発明は便器の洗浄水を内部に収容し、排水弁を開いてその洗浄水を放出し、便器の洗浄を行う洗浄タンク装置に関し、詳しくはボールタップからオーバーフロー管に補給水を給水するための補強水ホースを備えたものに関する。
【背景技術】
【０００２】
従来より、この種洗浄タンク装置として図６に示すようなものが用いられている。
同図において２００は洗浄タンクで、その上部に蓋を兼用した手洗鉢２０２が設けられている。この手洗鉢２０２には手洗吐水管２０４が起立する形態で設けられている。
手洗吐水管２０４からの手洗水は手洗鉢２０２に落下した後、手洗鉢２０２の底部の排水孔を通じて洗浄タンク２００内部に落下する。
【０００３】
２０６は洗浄タンク２００内部に配設されたボールタップで、浮玉２０８の昇降に連動して給水及び給水停止を行う。
即ち、浮玉２０８が下降するとボールタップ２０６の弁部が開かれて吐水管（厳密にはボールタップ２０６の吐水口からの水を下向きに導く導管）２１０を通じ洗浄タンク２００内部に給水が行われる。
また一方洗浄タンク２００内部の水面の上昇につれて浮玉２０８が上昇し、そしてその水面が満水状態になると、ボールタップ２０６の弁部が閉じて給水を停止する。
【０００４】
このボールタップ２０６からはまた、蛇腹管から成る導水管（図示省略）が延び出していて、その先端部が手洗吐水管２０４に接続され、洗浄タンク２００への給水時に、併せてこの導水管を通じて手洗吐水管２０４への給水が行われる。
【０００５】
洗浄タンク２００の底部にはフロート弁（排水弁）２１４が設けられている。
このフロート弁２１４は球状の弁体２１６と、弁座２１８とを有しており、その弁体２１６に対して、洗浄タンク２００のタンク壁に設けられた洗浄ハンドル２２０と一体に回転するＬ字状の作用レバー２２２の先端部が、鎖２２４を介して連結されている。
而してこのフロート弁２１４は、洗浄ハンドル２２０が回転操作されると弁体２１６が弁座２１８から浮き上がって弁部を開放し、ここにおいて洗浄タンク２００内の洗浄水が排出口２２６を通じて便器に向け放出される。
【０００６】
この例の洗浄タンク装置においては、ボールタップ２０６から補給水管２３２が延び出しており、この補給水管２３２を通じてオーバーフロー管２３０内に補給水を給水できるようになしてある。
【０００７】
このようにボールタップ２０６からの水を補給水としてオーバーフロー管２３０内に給水するようになしているのは次のような理由による。
即ちサイホン式便器の場合には、洗浄タンク２００内に収容された洗浄水を放出して便器洗浄を行ったとき、便器の排水トラップ部分の溜水がサイホン現象によって一挙に下流側に排出される。
そこで次にオーバーフロー管２３０及び排出口２２６を通じて便器内部の排水トラップ部分に補給水を供給することで、排水トラップ部分での封水切れを防止するようにしている。
【０００８】
しかしながら便器がサイホン便器でない場合等においては、上記補給水ホース２３２によるオーバーフロー管２３０内への補給水の給水は不要であり、そこで従来にあってはこのような場合には補給水ホース２３２の接続口を有しないボールタップを用いて対応していた。
しかしながらこの場合、サイホン便器とそうでない場合とで別々のボールタップを用いることとなり、洗浄水タンク装置をそれらサイホン便器とそうでない便器とに共通に使用できないといった問題がある。
【０００９】
そこで本出願人は先の特許願（特許文献１）において、補給水ホースからの給水をオーバーフロー管内に流出させる第１接続口と、オーバーフロー管の外且つタンク内に流出させる第２差込口とを備えた、オーバーフロー管とは別体のホルダをかかるオーバーフロー管の上端部に取り付け、補給水の給水が不要な場合には補給水ホースの先端部を第２差込口に接続して保持させておくようになした洗浄タンク装置を提案している。
【００１０】
しかしながらこの場合所用部品点数が多くなってしまい、また補給水ホースの先端部を第２接続口に接続し保持させておく際の、補給水ホースのタンク内での取回しに困難を伴う場合が生ずる。
また補給水用ホースを第２差込口に接続した場合、補給水ホースからの給水がタンク内の水面上にそのまま落下することとなるため、その際に給水の落下音を生じないようにするための特別の工夫も必要となる。
【００１１】
【特許文献１】特開２００２−１６７８３６号公報
【発明の開示】
【発明が解決しようとする課題】
【００１２】
本発明は以上のような事情を背景とし、サイホン便器と、そうでない便器とで共通に使用でき、しかも補給水ホースからの補給水の給水を行わない場合においても特別に余分な部品を必要とせず、またタンク内での補給水ホースの取回しも容易である、補給水ホースを備えた洗浄タンク装置を提供することを目的としてなされたものである。
また本発明の他の目的は、補給水ホースからの給水をタンク内に戻す場合において、補給水ホースからの水がタンク内部品等に当ることによって飛沫を生じたり、或いは水音を生じることのない洗浄タンク装置を提供することを目的とする。
【課題を解決するための手段】
【００１３】
而して請求項１のものは、洗浄タンク内部に配設したボールタップから該洗浄タンク内部のオーバーフロー管内に補給水を給水するための補給水ホースを延び出させて成る洗浄タンク装置において、前記洗浄タンクのタンク壁に、前記補給水ホースの先端部を差し込んで保持するための差込口を一体に形成するとともに、該差込口には、該補給水ホースからの給水をタンク内部に流出させる流出口を設けてあることを特徴とする。
【００１４】
請求項２のものは、請求項１において、前記差込口は上端に開口を有する筒体を成していて、筒周壁に沿って前記流出口としての縦の切欠が設けてあることを特徴とする。
【００１５】
請求項３のものは、請求項２において、前記切欠は該切欠から流出した水が前記洗浄タンク内部のフロート弁，ボールタップ及び浮玉の何れにもかからない向きに設けてあることを特徴とする。
【００１６】
請求項４のものは、請求項２，３の何れかにおいて、前記筒体の底面はタンク内に向かって斜め下向きに延びる傾斜ないし湾曲面となしてあることを特徴とする。
【発明の作用・効果】
【００１７】
以上のように本発明は、洗浄タンクのタンク壁に、補給水ホースの先端部を差し込んで保持するための差込口を一体に形成したもので、本発明によれば、補給水ホースからの補給水をオーバーフロー管内に給水する必要が無い場合には、補給水ホースの先端部を差込口に差し込んでおけば良く、従って本発明の洗浄タンク装置は、サイホン式便器であってもそうでない便器であっても共通に使用することができる。
【００１８】
またこの差込口はタンク壁に一体に形成してあるため、補給水を便器に給水しない場合において、即ちオーバーフロー管内に給水しない場合において、その先端部を保持するための別部品を必要とせず、洗浄タンク装置のコストを低減することができる。
またこの差込口は、補給水ホースの先端部を差し込んで保持するに際して、かかる補給水ホースがタンク内の部品と干渉しない位置に選んで定めておくことができ、これにより補給水ホースと他の部品とがタンク内で干渉するのを良好に回避することができる。
またタンク内における補給水ホースの取回しも容易となる。
【００１９】
また本発明によれば、差込口がタンク壁に設けてあるため、補給水ホースからの給水をタンク壁に沿って静かに流し出すことができ、補給水ホースからの補給水がタンク内の中央部上方から水面上に落ちて水音を立てるのを有効に防止することができる。
【００２０】
上記差込口はこれを筒体にて構成し、そして筒周壁に沿って上記の流出口としての縦の切欠を設けておくことができる（請求項２）。
またその切欠は、切欠から流出した水が洗浄タンク内部のフロート弁，ボールタップ及び浮玉の何れにもかからない向きに設けておくことができる（請求項３）。
このようにしておけば、補給水ホースからの補給水をタンク内に戻す場合において、差込口の流出口からの流出水がタンク内のフロート弁，ボールタップ，浮玉等の部品に当って飛沫を上げ、これにより飛沫水がタンク外部に漏れ出たり或いはタンク内で水音を生じたりするのを防止することができる。
【００２１】
次に請求項４は、上記差込口をなす筒体の底面をタンク内に向かって斜め下向きに延びる傾斜ないし湾曲面となしたもので、このようにしておけば、補給水ホースからの補給水を、その底面の案内作用で円滑にタンク壁内面へと流し出すことができ、補給水ホースからの補給水をタンク内に戻すに際して、補給水がタンク内部品に当ったり或いは水面に落下した際に水音を立てるのを更に効果的に防止することができる。
【発明を実施するための最良の形態】
【００２２】
次に本発明の実施形態を図面に基づいて詳しく説明する。
図１及び図２において、１０は本実施形態の洗浄タンク装置１１における洗浄タンクで、陶器製のアウタタンク１２と、その内側の樹脂製のインナタンク１４との２重タンク構造を成している。
アウタタンク１２の上部には蓋を兼用した陶器製の手洗鉢１６が設けられており、その手洗鉢１６に手洗吐水管１８が起立する形態で設けられている。
手洗鉢１６の底部には排水口２０が設けられており、手洗吐水管１８から手洗鉢１６に落下した水が、この排水口２０から洗浄タンク１０内部へと落下する。
【００２３】
洗浄タンク１０の内部には、ボールタップ２２が配設されている。
このボースタップ２２は、弁部が連動アーム２４を介して浮玉２６に連結されており、浮玉２６の昇降によって弁部を開閉し、その弁部の開閉によって洗浄タンク１０内への給水及び給水停止を行う。
上記ボールタップ２２からは洗浄タンク１０内に給水を行うための吐水管（厳密には吐水口からの水を導く導管）２３が延び出しており、更にこのボールタップ２２からはまた手洗吐水管１８に給水を行うための蛇腹管から成る導水管３０が延び出していて、その先端部が手洗吐水管１８に差込接続されている。
【００２４】
洗浄タンク１０の底部には、フロート弁（排水弁）３２が配設されている。
このフロート弁３２は球状の弁体３４と弁座３６とを有しており、その弁体３４が弁座３６から浮き上がることによって排出口３８を開放し、また弁体３４が弁座３６に着座することによって排出口３８を閉鎖する。
【００２５】
一方洗浄タンク１０のタンク壁（側壁部）には洗浄ハンドル４０が回転可能に設けられている。
この洗浄ハンドル４０からは図１及び図２に示すようにＬ字状をなす作用レバー４２が洗浄タンク１０内部に延び出しており、その先端とフロート弁３２の弁体とが、水受カップ４６を介して鎖４４により連結されている。
ここで水受カップ４６は、内部に水を溜めたり或いは空にすることによって大洗浄（大便時の洗浄）と小洗浄（小便時の洗浄）とを切り替える作用をなすもので、弁体３４と一体に昇降するようになっている。
【００２６】
図１に示しているようにこの水受カップ４６には円筒部４８が設けられていて、この円筒部４８がオーバーフロー管５０に上下摺動可能に外嵌されている。
水受カップ４６及び弁体３４は、これら円筒部４８及びオーバーフロー管５０の案内の下に昇降する。
ここでオーバーフロー管５０は、洗浄タンク１０内の水をオーバーフローさせるためのもので、そのオーバーフロー水はオーバーフロー管５０の下端からフロート弁３２をバイパスして排出口３８から便器へと流出する。
【００２７】
図１及び図２に示しているように、ボールタップ２２からは補給水をオーバーフロー管５０内に給水するための補給水ホース５２が延び出している。
この補給水ホース５２は、その先端部をオーバーフロー管５０の上端部の差込口５４に差し込んでおくことによって、ボールタップ２２からの水の一部を補給水としてオーバーフロー管５０内、即ち便器への補給水として供給する。
【００２８】
図３〜図５に示しているように洗浄タンク１０のタンク壁、詳しくはインナタンク１４のタンク壁には、補給水ホース５２をオーバーフロー管５０内への補給水の給水用に用いないときに、その先端部を差し込んで保持しておくための差込口５６が一体に形成されている。
ここで差込口５６は筒体から成っており、その下端が洗浄タンク１０内の満水時の水面位置Ｐ（図１参照）よりも高位置となるように、凹部５８内に配置されている。
【００２９】
この差込口５６には、補給水ホース５２からの補給水の流出口となる切欠６０が、周壁に沿って縦に上端から下端に到るまで設けられている。
ここで切欠６０は、図４に示しているようにその向きがタンク壁の壁面、詳しくは差込口５６を設けた部位のタンク壁の壁面と直交方向に対し、洗浄タンク１０中心部とは反対向きに斜め向きに形成され、切欠６０からの流出水が洗浄タンク１０内のフロート弁３２，ボールタップ２２及び浮玉２６の何れにもかからないようにされている。
また図３及び図５に示しているようにこの差込口５６の底面６２は、洗浄タンク１０内に向かって斜め下向きに延びる傾斜面と成してある。
【００３０】
本実施形態の洗浄タンク装置１１においては、補給水ホース５２をオーバーフロー管５０内への補給水の給水用として用いないときには、その先端部をタンク壁に設けた差込口５６に差し込んで先端部を保持させておく。
この場合、ボールタップ２２の弁部が開いて洗浄タンク１０内に給水を行う際、その一部が補給水ホース５２にも流れ込む。
而して補給水ホース５２内に流れ込んだ水は、差込口５６内に流入した後、その流出口である縦の切欠６０から洗浄タンク１０内へと戻される。
その際、差込口５６内の水は傾斜面から成る底面６２の案内作用で滑らかにタンク壁の内面へと流出し、そしてタンク壁の内面を伝って下向きに流下する。
【００３１】
またこの切欠６０は、図４に示しているように洗浄タンク１０内の各種機能部品の位置していない方に向けて斜めに配向されているため、差込口５６内の水が切欠６０を通じて洗浄タンク１０内に流出する際、その流出水がフロート弁３２やボールタップ２２或いは浮玉２６に当って飛沫を上げ、その飛沫が洗浄タンク１０外に漏出したり或いは洗浄タンク１０内の水面上に落下して水音を立てたりするといった不具合を生じない。
【００３２】
また本実施形態において、この差込口５６はタンク壁に設けてあるため、補給水ホース５２の先端部をこの差込口５６に差し込んだとき、補給水ホース５２は水平方向に長く延びた状態となって上方への突出量が少なく或いは上方への突出を生じないため、その補給水ホース５２が、蓋を兼ねた手洗鉢１６と干渉するのが良好に防止される。
【００３３】
以上のように本実施形態によれば、補給水ホース５２からの補給水をオーバーフロー管５０内に給水する必要が無い場合には、補給水ホース５２の先端部を差込口５６に差し込んでおけば良く、従って本発明の洗浄タンク装置１１は、サイホン式便器であっても、そうでない便器であっても共通に使用することができる。
【００３４】
またこの差込口５６はタンク壁に一体に形成してあるため、補給水を便器に供給しない場合において、即ちオーバーフロー管５０内に給水しない場合において、その先端部を保持するための別部品を必要とせず、洗浄タンク装置１１のコストを低減することができる。
【００３５】
また本実施形態では差込口５６がタンク壁に設けてあるため、補給水ホース５２からの給水をタンク壁に沿って静かに流し出すことができ、補給水ホース５２からの補給水が洗浄タンク１０内の中央部上方から水面上に落下して水音や飛沫を生じるのを有効に防止することができる。
【００３６】
さらに上記差込口５６をなす筒体の底面６２を、洗浄タンク１０内に向かって斜め下向きに延びる傾斜面（湾曲面であっても良い）となしているため、補給水ホース５２からの補給水を底面６２の案内作用で円滑にタンク壁内面へと流し出すことができ、補給水ホース５２からの補給水を洗浄タンク１０内に戻すに際して、補給水が洗浄タンク１０内部品に当ったり或いは水面に落下した際に水音を立てるのを更に効果的に防止することができる。
【００３７】
以上本発明の実施形態を詳述したがこれはあくまで一例示であり、本発明はその趣旨を逸脱しない範囲において種々変更を加えた形態で構成可能である。
【図面の簡単な説明】
【００３８】
【図１】本発明の一実施形態の洗浄タンク装置の正面断面図である。
【図２】同実施形態の平面図である。
【図３】同実施形態の側面断面図である。
【図４】同実施形態の要部拡大平面図である。
【図５】同実施形態における差込口を拡大して示す図である。
【図６】従来の洗浄タンク装置を示す図である。
【符号の説明】
【００３９】
１０  洗浄タンク
１１  洗浄タンク装置
２２  ボールタップ
２６  浮玉
３２  フロート弁
５０  オーバーフロー管
５２  補給水ホース
５６  差込口
６０  切欠
６２  底面
【図１】
2006283355.tif 000003
【図２】
2006283355.tif 000004
【図３】
2006283355.tif 000005
【図４】
2006283355.tif 000006
【図５】
2006283355.tif 000007
【図６】
2006283355.tif 000008